(57)【要約】【課題】  例えば、既設の煙感知器に対して、容易に湯気による誤報を防止できるようにする。【解決手段】  煙感知器の煙感知部３１の外周に取り付けられる煙感知器のアダプタ１であって、煙感知器の煙流入口３５に対向して設けられる流出口７と、その流出口７と流路１０を介して設けられる流入口９とをアダプタに形成した。  アダプタに下方に開口した水抜き穴１５を設け、その水抜き穴と流路１０を接続した。流路１０は、流入口９から内側に延びた水平流路１１と、その水平流路から水抜き穴１５へ下方へ延びた下り流路１２と、その下り流路の途中から流出口７へ上がる傾斜流路１３とから形成され、高さの低い偏平な形状である。【選択図】図２
2005293548.tif 000002
【特許請求の範囲】
【請求項１】
煙感知器の煙感知部の外周に取り付けられる煙感知器のアダプタであって、
前記煙感知器の煙流入口に対向して設けられる流出口と、前記流出口と流路を介して設けられる流入口とを前記アダプタに設けたことを特徴とする煙感知器のアダプタ。
【請求項２】
前記アダプタに下方に開口した水抜き穴を設け、該水抜き穴と前記流路を連通したことを特徴とする請求項１記載の煙感知器のアダプタ。
【請求項３】
前記流路を、高さの低い偏平な形状にしたことを特徴とする請求項１記載の煙感知器のアダプタ。
【請求項４】
前記水抜き穴の一部を覆うか又は塞ぐことを特徴とする請求項２記載の煙感知器のアダプタ。
【請求項５】
前記流路は、前記流入口から内側に延びた水平流路と、該水平流路から下方へ延びた下り流路と、該下り流路の途中から前記流出口へ上がる傾斜流路とから形成されることを特徴とする請求項１乃至請求項４のいずれかに記載の煙感知器のアダプタ。
【請求項６】
前記下り流路は、前記水平流路から前記水抜き穴へ向かって下方へ延びていることを特徴とする請求項５記載の煙感知器のアダプタ。
【請求項７】
前記煙感知部は、一対の発光素子及び受光素子を有し、前記流出口は、前記発光素子と受光素子をむすぶ光軸よりも低い位置に設けられることを特徴とする請求項１記載の煙感知器のアダプタ。
【請求項８】
前記煙感知器のカバーに複数本のフィンを設け、該フィンに嵌合する取付手段をアダプタに設けたことを特徴とする請求項１記載の煙感知器のアダプタ。
【発明の詳細な説明】
【技術分野】
【０００１】
本発明は、煙感知器のアダプタに関するもので、例えば、既存の煙感知器に取り付けられ、湯気による誤報を防止するアダプタに関するものである。
【背景技術】
【０００２】
従来より火災を検知する火災感知器の一つとして火災時の煙を検出する煙感知器がある。煙感知器は、タバコの煙や湯沸かし器等から発生する湯気によって誤報を発する場合があった。このため、防虫網の開口率を変化させたり（例えば、特許文献１参照）、感知器本体の形状を工夫して（例えば、特許文献２参照）、誤報を防止する対策を施したものが提案されている。
【特許文献１】特開２００３−８５６６４号公報
【特許文献２】特開平９−１５３１８７号公報
【発明の開示】
【発明が解決しようとする課題】
【０００３】
ところで、室内において、風呂場付近に設置された煙感知器は、寝室などに設置された煙感知器に比べ、湯気にさらされることが多く、湯気により誤報を起こす可能性が高い。このような湯気による誤報対策を施した煙感知器がいくつか提案されているが、既に設置された煙感知器に対して、交換することなく容易に湯気による誤報を防止することはできず、例えば、風呂場付近の煙感知器だけに湯気の誤報防止手段を設けるということができなかった。
【０００４】
そこで、本発明は、例えば既設の煙感知器に対しても、容易に湯気による誤報を防止できるようにした煙感知器のアダプタを提供すること目的としたものである。
【課題を解決するための手段】
【０００５】
本発明は以上の課題を解決するためになされたもので、煙感知器の煙感知部の外周に取り付けられる煙感知器のアダプタであって、煙感知器の煙流入口に対向して設けられる流出口と、その流出口と流路を介して設けられる流入口とをアダプタに設けたことを特徴とするものである。また、アダプタに下方に開口した水抜き穴を設け、該水抜き穴と前記流路を連通したことを特徴とするものである。そして流路を、流入口から内側に延びた水平流路と、該水平流路から水抜き穴へ下方へ延びた下り流路と、該下り流路の途中から前記流出口へ上がる傾斜流路とから形成して、高さの低い偏平な形状にした。
【発明の効果】
【０００６】
本発明は、アダプタの内部に流路を形成し、そのアダプタを煙感知器の煙感知部の外周に取り付けたので、火災による煙は流路内をそのまま通過して煙感知部へと流入するが、湯気は流路の途中で水滴になり、湯気が煙感知部へ流入することはない。このため湯気による誤報を防止することができる。また流路内で湯気が水になると、その水滴は水抜き穴から排出されるので、流路に水滴が溜まることはない。
【発明を実施するための最良の形態】
【０００７】
［実施の形態１］
図１（ａ）は本発明の実施の形態１に係るアダプタの平面図、図１（ｂ）はアダプタの側面図、図２はアダプタを煙感知器に取り付けた状態を示す断面図である。図３（ａ）は図１のＡ−Ａ線の断面図で、図３（ｂ）は図３（ａ）のＢ−Ｂの断面図、図４はアダプタを煙感知器取付側から見た平面図、図５はアダプタの斜視図である。なお、アダプタは、図２に示すように天井に取り付けた火災感知器としての煙感知器に取り付ける関係上、以下の説明では、煙感知器側を上側、アダプタの水抜き穴のある側を下側として上下方向を説明する。
【０００８】
図において、１はアダプタで、煙感知器の湯気による誤報を防止するための器具である。アダプタ１は図２に示すように、煙感知器３０の煙感知部３１の外周に取り付けられる。煙感知部３１は、一対の発光素子と受光素子とを有する光学室から構成され、光学室（煙感知部３１）の外周には、防虫網３３を介して煙流入口３５が設けられている。３７は火災時に点灯する確認灯である。なお、煙感知器３０は、公知のもので、特に新規の部分はないので、本発明のアダプタ１の説明に関係する部分だけを説明する。
【０００９】
アダプタ１は樹脂などで成型され、中央に嵌合穴３を有しており、ほぼドーナツ状に形成されている。中央の嵌合穴３は、その内径が煙感知部３１の外径とほぼ同じ大きさに形成され、図２に示すように、嵌合穴３を煙感知器３０のカバー３２の下から挿入して、アダプタ１が保持されるようになっている。より詳しく説明すると、アダプタ１の嵌合穴３の内周縁部５の上部５ｃは、僅かに突出している。そして、煙感知器３０にアダプタ１を取り付ける際、煙感知器３０の煙流入口３５の周りに設けられた、カバー３２の開口内に、内周縁部５及びその上部５ｃが食い込んで、アダプタ１は外れにくくなっている。
【００１０】
アダプタ１には、流出口７、流入口９、流路１０及び水抜き穴１５が形成されている。流出口７は、内周縁部５の煙感知器３０の煙流入口３５に対向した位置に設けられており、また流入口９は、流出口７と流路１０を介して連通し、アダプタ１の外周面６に開口している。そして流出口７は、流入口９よりも低い位置、つまり高さ方向において下側方向に設けられている。水抜き穴１５は、アダプタ１の底面に下方に開口するように設けられ、流路１０と連通している。
【００１１】
図３（ｂ）を用いて、流入口９などの形状について更に説明する。流入口９はアダプタ１の外周面６において放射状に設けられ、図では７つの横長の（スリット状の）流入口９が形成されている（図１（ｂ）参照）。流入口９はその先端はテーパ状に形成されており、開口を大きくして煙が流入しやすくなっている。流入口９に連通する流路１０はほぼ扇形状に形成され、内側にいくほど幅が狭くなり、嵌合穴３のある内周面に開口した流出口７と連通している。このため流出口７も横長のスリット形状になっている。
【００１２】
再び図２に戻って、流路１０について説明する。流路１０は、水平流路１１，下り流路１２及び傾斜流路１３とから形成されている。水平流路１１は、流入口９から水平に内側に向かって延びた流路である。下り流路１２は、その水平流路１１から水抜き穴１５に向かって下方へ延びた流路であり、この下り流路１２と水平流路１１でほぼ断面Ｌ字状に形成される。傾斜流路１３は、下り流路１２の途中から流出口７へ向かって上方に傾斜する流路である。なお、水平流路１１は下方又は上方に傾斜した流路であってもよく、またＬ字状の流路を複数組み合わせて、流路を形成するようにしてもよい。
【００１３】
図４において、２０は投光窓で、煙感知器３０の確認灯３７と対向した位置に形成されている。アダプタ１の底面側において、この投光窓２０が形成される部分は切り欠かれており、火災時に確認灯３７が点灯したことを外部から視認できる形状になっている（図１（ａ）、図２及び図５参照）。なお、図４において、２１は放射状に形成された嵌合溝でアダプタ１の上面側に設けられる。この嵌合溝２１は、煙感知器３０のカバー３２に設けた図示しないフィン（カバー３２から立ち上がった複数本の壁）に嵌合する細長い溝である。このフィンは煙感知器３０によって必要に応じて設けられるので、嵌合溝２１は省略してもよい。
【００１４】
次に、本実施形態のアダプタ１の作用につき、まず煙感知器３０の近辺で火災が発生し、煙が生じた場合について説明する。火災時の煙は図示しない天井面に到達すると、天井下面に沿って水平方向に流れ、その一部は流入口９から流入し、流路１０の水平流路１１を通って下り流路１２へと流れる。煙は上昇するように流れるから、下り流路１２を通る際、水抜き穴１５からほとんど流出せずに、傾斜流路１３側へ流れる。そして傾斜流路１３から流出口７及び煙流入口３５を通って煙感知部３１に到達し、所定濃度の煙が検知されると、確認灯３７が点灯する。なお、傾斜流路１３の幅（径）を下り流路１２の幅よりも広くすれば、又は水抜き穴１５の径を小さくすれば、それだけ煙は流出口７側へ流れやすくなり、水抜き穴１５から流出する煙量を減らすことが可能になる。
【００１５】
続いて、煙感知器３０の近辺において、風呂場や湯沸かし器等から湯気が発生する場合について説明する。ここで湯気と煙との違いは、湯気の方が煙より粒子径が大きく、また粘性が高く、温度差がある点であり、この特性の違いを利用して湯気の煙感知部３１への浸入を防止する。湯気が天井面に立ち上がると、煙と同様にアダプタ１の流入口９から流入する。流入口９に入った湯気は、流路１０を通る際、流路１０の壁面に付着して、その一部は水滴へと変化する。このように湯気は、低い温度のアダプタ１を通ることで、飽和量が下がるため水滴として現れる。
【００１６】
ここで流路１０について詳しく説明する。仮に流入口９から流出口７までを水平流路１１だけで連通すると、流入口９から流入した湯気は、流路１０の壁面に付着して流路１０内で水滴となるが、それでも湯気の一部は、流出口７から直接煙流入口３５へと流入してしまう。
【００１７】
そこで流入口９と流出口７との間に段差を設けて、つまり、本実施形態のように水平流路１１を下り流路１２という壁にぶつけて、更に傾斜流路１３を介して流出口７へと導くことにより、流入口９から流出口７までの距離を長くできる。これにより上述した湯気の壁面への付着による水滴化を促進することができる。特に、水平流路１１は、高さの低い偏平な形状を有しているため、湯気が水平流路１１の壁面へ付着しやすくなっている。
【００１８】
また、流路１０内で湯気が水滴になると、その水滴は下り流路１２を通って水抜き穴１５から排出されるので、流路１０内に水が溜まることはない。そして下り流路１２から流出口７へは上り傾斜の傾斜流路１３となっているので、水滴となった水が煙流入口３５へと浸入するのを防止できる。
【００１９】
このように流路１０を有するアダプタ１を、煙感知器３０の煙感知部３１の外周に取り付けることで、火災による煙は流路１０内をそのまま通過して、煙感知部３１へと流入しやすいが、湯気は流路１０の途中で水滴になり、煙感知部３１に流入することはない。このため湯気による誤報を防止することができる。
【００２０】
次に、考えられる他の例について説明する。例えば、水抜き穴１５の一部を覆うか又は塞ぐようにしてもよい。水抜き穴１５はアダプタ１の底面１６に形成されることから、ここから煙や湯気が流入して、傾斜流路１３を介して煙流入口３５へ流れる場合がある。このため、このような流れを少なくするために、水抜き穴１５の一部をテープなどで覆うか、塞ぐようにして、水抜き穴１５の開口面積を減らすことが望ましい。勿論、アダプタ１の成形時に、水抜き穴１５の開口を小さくするように成形してもよい。こうして、水抜き穴１５を通って煙感知部３１へ流れ込む湯気を減らすことができる。なお、水抜き穴１５の全ての開口面積は、流出口７の全開口面積よりも小さくすることが好ましい。
【００２１】
本実施の形態は、アダプタの内部に形成し、そのアダプタを煙感知器の煙感知部の外周に取り付けたので、火災による煙は流路内をそのまま通過して煙感知部へと流入するが、湯気は流路の途中に水滴のになり、湯気が煙感知部へ流入することはない。このため湯気による誤報を防止することができる。また、流路内で湯気が水滴になると、その水滴は水抜き穴から排出されるので、流路に溜まることはない。さらに、水抜き穴の一部を覆うか又は塞ぐことで、水抜き穴の開口面積を減らすことで、水抜き穴を通って煙感知部へ流れ込む湯気を減らすことができる。
【００２２】
［実施の形態２］
次に実施形態２について、図６乃至図１０を用いて説明する。図６は本発明の実施の形態２に係る煙感知器のアダプタの斜視図、図７（ａ）は煙感知器にアダプタを取り付けた状態を示す平面図、図７（ｂ）はその上面図、図７（ｃ）は下面図、図７（ｄ）は左側面図、図７（ｅ）は右側面図である。図８は煙感知器にアダプタを取付けた状態を示す縦断面図である。図９は図８におけるアダプタ部分の一部拡大断面図である。図１０は煙感知部の横断面図である。なお、実施の形態１と同じ部分又はほぼ同じ機能の部分にはこれと同じ符号を付し、一部の説明を省略する。この実施の形態２は、流出口と流入口を近接させ、両者の間に形成される流路の長さをほとんどなくした点が実施の形態１との違いの一つである。
【００２３】
図において、１は樹脂などで成型されたアダプタで、円筒部２とその下端部外周に設けた鍔部４によりほぼドーナツ状に形成されており、円筒部２の内径（嵌合穴３の内径）は、煙感知部３１の外径とほぼ等しい大きさに形成されている。
円筒部２には、煙感知器３０のカバー３２に設けたフィンＦに対応して嵌合溝２１が設けられ、複数（図には６個の場合を示してある）に分割されている。そして、分割された各円筒部８ａ〜８ｆ（以下、分割縦壁という）には、それぞれ流入口９及び流出口７が開口している。アダプタ１の円筒部２に設けた嵌合溝２１は、円筒部２の上端から下端（鍔部４）にわたって設けられ、フィンＦに嵌合しうる幅に形成されている。この嵌合溝２１により取付手段が構成される。このような取付手段を設けることで、既設の煙感知器に対して、アダプタ１を容易に取り付けることが可能となる。また、鍔部４には各分割縦壁８ａ〜８ｆの基部、したがって、各流入口９に沿ってスリット状の水抜き穴１５が設けられており、図８に示すように、流入口９と水抜き穴１５との間にはこれらに連通する流出口７が設けられて、これらにより短い流路１０が形成されている。
【００２４】
この流路１０についてさらに説明する。流路１０は実施の形態１で説明したように、湯気の流入の防止を考慮すると、高さの低い偏平な形状が望まれる。このため図７（ｅ）に示す例えば分割縦壁８ｃの流入口９は、上下の幅が狭く（細く）形成されて開口面積が小さくなっている。湯気の流入の防止だけを考慮すれば、他の分割縦壁（例えば、８ａ，８ｂ，８ｄ〜８ｆ）の流入口９も、分割縦壁８ｃの流入口９と同じ幅にしてもよいが、ここでは、煙感知部３１内に３６０度どの方向からもほぼ均等に煙が流入するように、流入口９の形状及び嵌合溝２１の幅をかえてある。即ち、分割縦壁８ａと分割縦壁８ｆの間の嵌合溝２１は非常に大きく形成し、それに続いて分割縦壁８ｃと分割縦壁８ｄの間にある嵌合溝２１も比較的大きく形成してある。またそれ以外の嵌合溝２１についてはフィンＦとほぼ同じ幅に形成してある（図７参照）。これは以下のためである。
【００２５】
例えば、図１０に示すように、煙感知部３１において、発光素子、受光素子を収納した収納部４５，４６の背面（外周側）には縦壁が設けられて、他の箇所よりも煙が流入しにくい。このため、この収納部４５，４６の位置に対応する嵌合溝２１の幅を他よりも広く形成することで、煙を流入し易くしてある（図６、図７（ｂ），（ｃ））。なお、各流出口７は、発光素子と受光素子を結ぶ光軸３６（図９参照）より低い位置に設けられている。ここで、分割縦壁８ａ〜８ｆの形状について説明する。分割縦壁８ｂ，８ｅは左右両端部に柱があり、両端部は閉じられているが、分割縦壁８ａ，８ｃ，８ｄ，８ｆは左右いずれかにのみ柱があり、片側が開いている形状になっている。なお、分割縦壁８ａ，８ｃ，８ｄ，８ｆには、流出口７のほぼ中間部に補強用の柱が設けられている。
【００２６】
次に、本実施の形態に係るアダプタ１の作用につき、まず、図９により、煙感知器３０の近辺で火災が発生し、煙が生じた場合について説明する。火災時の煙（実線で示す）は、前述のように天井下面に沿って水平方向に流れ、その一部は流入口９から流入し流路１０に流れる。煙は上昇するように流れるから流路１０を通る際、水抜き穴１５からほとんど流出することなく、大部分が流出口７及び煙流入口３５を通って煙感知部３１に到達することになる。
【００２７】
次に、図９により、煙感知器３０の近傍において、風呂場や湯沸かし器等から湯気が発生する場合について説明する。前述のように湯気（破線で示す）が天井面に立ち上ると、煙と同様にアダプタ１の流入口９から流入する。この時、アダプタ１の鍔部４が外側に突き出ており、また流入口９の高さｈが低いことから、流入口９からほぼ水平に流入する湯気は、流路１０を通る際、流路１０の上方の壁面に付着して水滴となり、また流入口９から斜め下方に流れ込む湯気の一部は、流路１０を通る際、流路の下方の壁面に付着して水滴となる。これら壁面に付着した水滴は、水抜き穴１５から排出される。一方、斜め下方に流れ込んだ湯気の一部は、流出口７から煙感知部３１に流入するが、湯気は煙粒子より粒子径が大きく、質量が大きいため、煙感知部３１の内において上昇することなく、煙感知部３１の底部に付着するか又は蒸発することになる。このように、アダプタ１において湯気が斜め上方に向って流入しないように、流入口９と流出口７の位置がきめられている。
【００２８】
本実施の形態においては、アダプタ１の流路１０を短く形成したが、流出口７を発光素子の光軸（図９の３６）より低い位置に設けてあり、また、湯気はほとんど上昇することがないので、煙感知部３１内に湯気が浸入しても発光素子と受光素子を結ぶ光軸３６に達する量が減り、湯気による誤報を防止することができる。
【００２９】
本実施の形態においても実施の形態１の場合とほぼ同様の効果を得ることができるが、さらに、アダプタ１に鍔部４を設けたので、流入口９への煙の流入を促進すると共に、湯気が鍔部４に当って水滴になるため、流入口９からの湯気の流入を低減することができる。また、流入口９と流出口７を連通する流路１０を可及的に短くしたので、アダプタ１を小形化することができる。
【００３０】
上記の説明では、本発明に係るアダプタ１を既設の煙感知器３０に装着する場合について述べたが、新設の煙感知器３０にも本発明に係るアダプタ１を装着しうることは言うまでもない。
【図面の簡単な説明】
【００３１】
【図１】（ａ）は本発明の実施の形態１に係るアダプタの平面図、（ｂ）はアダプタの側面図である。
【図２】図１のアダプタを煙感知器に取り付けた状態の縦断面図である。
【図３】（ａ）は図１のＡ−Ａ断面図、（ｂ）は図３（ａ）のＢ−Ｂ断面図である。
【図４】アダプタを煙感知器取付側から見た平面図である。
【図５】アダプタの斜視図である。
【図６】本発明の実施の形態２に係るアダプタの斜視図である。
【図７】（ａ）は図６のアダプタを煙感知器に取り付けた状態を示す平面図、（ｂ）はその上面図、（ｃ）は下面図、（ｄ）は左側面図、（ｅ）は右側面図である。
【図８】図６のアダプタを煙感知器に取付けた状態の縦断面図である。
【図９】実施の形態２のアダプタの作用説明図である。
【図１０】煙感知部の横断面図である。
【符号の説明】
【００３２】
１  アダプタ、２  円筒部、３  嵌合穴、４  鍔部、５  内周縁部、５ｃ  上部、６  外周面、７  流出口、９  流入口、１０  流路、１１  水平流路、１２  下り流路、１３  傾斜流路、１５  水抜き穴、１６  底面、２０  投光窓、２１  嵌合溝、３０  煙感知器、３１  煙感知部、３２  カバー、３３  防虫網、３５  煙流入口、３６  光軸、３７  確認灯。
【図１】
2005293548.tif 000003
【図２】
2005293548.tif 000004
【図３】
2005293548.tif 000005
【図４】
2005293548.tif 000006
【図５】
2005293548.tif 000007
【図６】
2005293548.tif 000008
【図７】
2005293548.tif 000009
【図８】
2005293548.tif 000010
【図９】
2005293548.tif 000011
【図１０】
2005293548.tif 000012